(57)【要約】      （修正有）【課題】拘縮による可動域の狭い箇所に使用して空間を保ち、関節周囲の固まった筋肉を自身の拘縮する力で無意識の内にマッサージ効果が得られる拘縮対応エアパッククッションを提供する。【解決手段】靴下状の袋１にエアパック２を複数個入れ、同形の靴下状の袋を被せて、完成する。靴下状の袋入り口部はゴムで伸縮して相互に安全に固定される。拘縮による圧力で患部が強くこすり合わされることからヒモやボタン、スナップ、ファスナー等を使わない。【選択図】図１
0003206761.tif 000002
【実用新案登録請求の範囲】
【請求項１】
布製靴下状の袋や筒状の袋にエアパックを複数個入れ、拘縮による可動域の狭い箇所に使用して空間を保ち、関節周囲の固まった筋肉を自身の拘縮する力で無意識の内にマッサージ効果が得られる拘縮対応エアパッククッション。認知症の異食を避けるため、スポンジやウレタンビーズを使わず、また口腔に入らない程度の大きさのエアパックを使用する。
【請求項２】
拘縮患部はそれぞれ異なるためエアパックを入れる袋のサイズを変えて使用する。拘縮した脇や腕など比較的小さな場所に適したサイズの靴下状の袋は入口部がゴムで伸縮して、エアパックを入れた口に同仕様の靴下状袋をかぶせ合わせることで相互に安全に固定される。拘縮による圧力で患部が常に強くこすり合わされる可能性から怪我防止のため、ボタン、スナップ、ファスナー等を使わない。
【請求項３】
両端を縫い合わせた８０センチほどの筒状布製袋に穴を開け、その穴の周囲にゴムを入れて使用する。穴からエアパック複数個を筒状袋の左右に入れて一度軽く結び、穴をふさいで使用する。拘縮した膝や股など比較的長く広い患部に適している。
【請求項４】
エアパックを２〜３個ストッキング状のネット袋に入れて口を縛り、そのネット袋を複数個、布袋に入れて使用する。比較的広い可動域に部分に使用する。
【考案の詳細な説明】
【技術分野】
【０００１】  本考案は各関節の拘縮の強い方に使用するエアクッションに関するものである。
【背景技術】
【０００２】  介護が必要な方のオムツ交換や入浴など生活介助において関節の拘縮により可動域が狭く、介助が困難なうえに骨折してしまうリスクもある。
そこで拘縮部には常時クッションやタオルなどをはさんで対応している。
【先行技術文献】
【特許文献】
【０００３】
【特許文献１】特許出願公開番号  特開２００２−３２５６５６広報
【特許文献２】実用新案登録第３１６２５７３号広報
【考案の概要】
【考案が解決しようとする課題】
【０００４】  脇や股関節、膝などの拘縮がかなり進んでいる状態ではクッションやタオルを入れる隙間が狭く、適合性が困難である。また認知症の方がクッションをさわり続けて破損させた際、中に使用した素材を異食する可能性を避けていきたい。
【課題を解決するための手段】
【０００５】  本考案はエア入りのビニールパックを使い、布製靴下状の袋や筒状の袋に入れて使用する。エアパックは異食や嚥下のできない程度の大きさの物を複数個入れて相互のクッション感を得ていく。
【考案の効果】
【０００６】  エアパックは外側からの力に形を変えながら内容体積は変わらず、弾力性があり、複数個のエアパックが袋の内部で接触しながら動くことができる。
これは拘縮部にはさんだ際に低反発素材のようにつぶれ過ぎず、狭くなった可動域を広げて空間を維持することができる。
そして固まった筋肉を拘縮する自身の力で無意識にほぐしていくマッサージ効果が得られる。
また便失禁などで汚れた場合、布やエアパックは安価であり、速やかに選択や交換が可能である。
外装部の靴下状の袋については関節部に沿うようなやや曲がった形であり、拘縮の力で皮膚を傷めないようにファスナーやボタンを使用せず、同形状の袋で被せ合うタイプと、途中で結ぶタイプがあり、圧がかかっても安易にエアパックが飛び出ないようになっている。
【図面の簡単な説明】
【０００７】
【図１】  本考案の靴下型拘縮対応エアパッククッションの構造図である。
【図２】  靴下型拘縮対応エアパッククッションの正面図である。
【図３】  靴下型拘縮対応エアパッククッションの使用状態を示す正面図である。
【図４】  本考案の筒型エアパック拘縮対応クッションの構造図である。
【図５】  筒型拘縮対応エアパッククッションの使用過程図である。
【図６】  筒型拘縮対応エアパッククッションの使用完成図である。
【図７】  筒型拘縮対応エアパッククッションの使用状態を示す側面図である。
【図８】  筒型拘縮対応エアパッククッションの使用状態を示す正面図である。
【図９】  エアパックをストッキングネットに数個入れている構造図である。
【図１０】  エアパックをストッキングネットに数個入れた完成図である。
【図１１】  本考案のぶどう型拘縮対応エアパッククッションの構造図である。
【図１２】  ぶどう型拘縮対応エアパッククッションの使用状態を示す側面図である。
【図１３】  ぶどう型拘縮対応エアパッククッションの使用状態を示す正面図である。
【考案を実施するための形態】
【０００８】  図１にある靴下状の袋１にエアパック２を複数個入れ、同形の靴下状の袋を被せて、図２のように完成する。靴下状の袋入り口部はゴムで伸縮して相互に安全に固定される。拘縮による圧力で患部が強くこすり合わされることからヒモやボタン、スナップ、ファスナー等を使わない。
【０００９】  図３は靴下状エアパッククッションの使用例である。３０センチ程度の大きさのため脇や腕の拘縮に使用が適している。
【００１０】  図４は筒状エアパッククッションである。両端の縫い合わされた８０センチほどの筒状布製袋には、周囲にゴムを入れた穴が開いており、そこからエアパック複数個を筒状袋の左右に入れていく。
【００１１】  図５のように袋を一度軽く結び、穴をふさいでＶ型（図６）に完成させる。
【００１２】  Ｖ型になった筒状エアパッククッションは図７・図８の示すように拘縮した両膝間や股関節などの使用が適している。
【００１３】  図１１はぶどう型拘縮対応エアパッククッションの構造図である。
図９のようにエアパックを２〜３個ストッキング状のネット袋４に入れて口を縛り、そのネット袋を複数個、枕状袋５に入れ、相互にかぶせ合わせて使用する。
【００１４】  袋が大きいとエアパックを多く入れるだけでは拘縮する力で片寄ってしまうため、数個をネットに一度包むことで相互に摩擦が起こり、容積の維持が可能になる。図１２・１３のように関節可動域の遠方部など比較的容積の大きい部分に使用する。
【符号の説明】
【００１５】１  靴下状袋
２  エアパック
３  筒状穴開き袋
４  ストッキングネット
５  枕状袋
【図１】
0003206761.tif 000003
【図２】
0003206761.tif 000004
【図３】
0003206761.tif 000005
【図４】
0003206761.tif 000006
【図５】
0003206761.tif 000007
【図６】
0003206761.tif 000008
【図７】
0003206761.tif 000009
【図８】
0003206761.tif 000010
【図９】
0003206761.tif 000011
【図１０】
0003206761.tif 000012
【図１１】
0003206761.tif 000013
【図１２】
0003206761.tif 000014
【図１３】
0003206761.tif 000015
【手続補正書】
【提出日】平成28年7月22日(2016.7.22)
【手続補正１】
【補正対象書類名】実用新案登録請求の範囲
【補正対象項目名】全文
【補正方法】変更
【補正の内容】
【実用新案登録請求の範囲】
【請求項１】
布製靴下状の袋や筒状の袋に、認知症の異食を避けるため口腔に入らない程度大きさのエアパックを複数個入れ、拘縮による可動域の狭い箇所に使用して空間を保ち、関節周囲の固まった筋肉を自身の拘縮する力で無意識にマッサージ効果が得られる拘縮対応エアパッククッション。
【請求項２】
脇や腕など狭く小さな場所に使用する場合、拘縮による圧力で患部が常に強くこすり合わされる可能性から怪我防止のため、靴下状の布袋をかぶせ合わせることで相互に安全に固定して使用することを特徴とする請求項１記載の拘縮対応エアパッククッション。
【請求項３】
拘縮した腕や膝など長く広い箇所に使用する場合、両端を縫い合わせた８０センチほどの筒状布製袋に穴を開け、エアパック複数個を入れて使用することを特徴とする請求項１記載の拘縮対応エアパッククッション。
【請求項４】
拘縮した股間や膝下など広く複雑な空間に使用する場合、エアパックを２〜３個をまずストッキング状のネット袋に入れ、そのネット袋の複数個を布袋に入れて使用することを特徴とする請求項１記載の拘縮対応エアパッククッション。